(57)【要約】【課題】レストランなどに用いられるテーブルにあって、テーブルの天板１に対する天板１を支持する支脚２のワンタッチ操作による容易な取付け或いは取外し可能とさせて、テーブル３の簡単な組付使用やコンパクトな分解収納を行ってテーブル３を有効に使用する。【解決手段】天板１と天板１を支持する支脚２とを備え、天板１の脚取付部５にワンタッチ式位置決め装置１５を介し支脚２を取外し自在に固定させる。【選択図】　　　図２
0003097435.tif 000002
【実用新案登録請求の範囲】
【請求項１】
天板と天板を支持する支脚とを備え、天板の脚取付部にワンタッチ式位置決め装置を介し支脚を取外し自在に固定させたことを特徴とするテーブルの脚構造。
【請求項２】
天板の脚取付部或いは支脚の一方にバネで押圧するロック用ボールを設けると共に、ロック用ボールの係合するボール係合孔を他方に設けたことを特徴とする請求項１記載のテーブルの脚構造。
【考案の詳細な説明】
【０００１】
【考案の属する技術分野】
本考案はレストラン或いは家庭内などで用いるテーブルの脚構造に関する。
【０００２】
【従来の技術】
爪部を有する係止片を天板支持部に設けて、天板に設ける被係止部材にスプリング力で係止片の爪部を係止させて、天板と天板支持部とを連結させる技術がある。（例えば特許文献１参照）
【０００３】
【特許文献１】実開平５−５２３２２号公報
【０００４】
【考案が解決しようとする課題】
上記従来技術の場合、部品点数も多く構造が複雑となるばかりでなく、天板と天板支持部との連結及び連結解除の操作にも多くの手数を要して簡単に行い難いという不都合があった。特に頻繁に天板と天板支持部との連結及び連結解除を必要とする宴会用テーブルなどにあっては作業を煩わしいものとさせていた。
【０００５】
【課題を解決するための手段】
したがって本考案は、天板と天板を支持する支脚とを備え、天板の脚取付部にワンタッチ式位置決め装置を介し支脚を取外し自在に固定させて、天板に対しワンタッチ操作で支脚を容易に取付け或いは取外し可能とさせて、テーブルの簡単な組付使用やコンパクトな分解収納を行ってテーブルを有効に使用するものである。
【０００６】
また、天板の脚取付部或いは支脚の一方にバネで押圧するロック用ボールを設けると共に、ロック用ボールの係合するボール係合孔を他方に設けて、天板の脚取付部或いは支脚にロック用ボールを組込むだけのコンパクトな構成で天板と支脚との容易な取付けや取外しを短時間に可能とさせて実用上至便とさせるものである。
【０００７】
【考案の実施の形態】
以下、本考案の実施例を図面に基づいて詳述する。図１はテーブルの斜視図であり、長方形の天板１の４隅下側に４本の支脚２を取外し自在に連結させて、天板１と天板１を支持する４本の支脚２とで長テーブル３を形成させている。
【０００８】
図２乃至図４に示す如く、４本の支脚２は上端側を断面４角形状の挿入部４に形成し、天板１下面下側に垂設させる断面４角形状の脚取付部５に支脚２の挿入部４を挿入させるもので、挿入部４は一側面に枢着板６を溶接などの固定手段によって一体固着させ、枢着板５の内側面に固設させる筒部材７の先端側を挿入部４に開設する遊嵌穴８を介し挿入部４内側に貫通させ、筒部材７内周位置の枢着板６に外側に先細りの漏斗状円形穴９を開設し、円形穴９の最小及び最大内径寸法間の大きさのロック用ボール１０と圧縮バネ１１を筒部材７先端より筒部材７内に挿入させ、筒部材７先端に固着させる蓋部材１２をバネ座として圧縮バネ１１力でボール１０を円形穴９に圧接させて、枢着板６外側面より一定寸法ボール１０を外方に突出させるように設けている。
【０００９】
そして、図５にも示す如く、前記脚取付部５に支脚挿入部４を内挿させるとき、バネ１１力に抗しボール１０を退入させ、挿入部４基端の面積の広い段付規制面１３と脚取付部５の下端面５ａとを当接させるとき、脚取付部５側面に開設するボール係合孔１４に前記枢着板６より外方に突出させるボール１０外周部を突入係合させて、支脚２の脱落など防止した位置固定を行うように構成している。
【００１０】
以上のように、支脚２内に予めコンパクトに組込むボール１０を用いた簡単な構成によって、天板１の脚取付部５に支脚２を挿入させるだけの簡単な操作で天板１に対する支脚２の確実な一体取付けを可能とさせるもので、テーブル３使用中のテーブル３上面にかかる荷重は、ボール１０に関係なく支脚２の段付規制面１３で安定良好に受けて、テーブル３の保持機能を安定させ、また支脚２の取外し時には支脚２を下方向に引張るだけの簡単な操作で係合孔１４とボール１０との係合解除を行って支脚２を容易に取外して、支脚２の着脱作業の能率向上化が図れる。
【００１１】
上述実施例にあっては、前記ボール１０及び圧縮バネ１１などで形成するワンタッチ式位置決め装置１５を支脚２内に組込む構成を示したが、図６に示す如く、支脚２を脚取付部５の外側に挿通させると共に、脚取付部５内に位置決め装置１５を組込み、支脚２にボール係合孔１４を開設させ、脚取付部５の上端に支脚２の上端を当接させる段付規制面１３を形成させる構成でも良い。
【００１２】
上記からも明らかなように、天板１と天板１を支持する支脚２とを備え、天板１の脚取付部５にワンタッチ式位置決め装置１５を介し支脚２を取外し自在に固定させたことによって、天板１に対しワンタッチ操作で支脚２を容易に取付け或いは取外し可能とさせて、テーブル３の簡単な組付使用やコンパクトな分解収納を行ってテーブル３を有効に使用することができる。
【００１３】
また、天板１の脚取付部５或いは支脚２の一方にバネ１１で押圧するロック用ボール１０を設けると共に、ロック用ボール１０の係合するボール係合孔１４を他方に設けることによって、天板１の脚取付部５或いは支脚２にロック用ボール１０を組込むだけのコンパクトな構成で天板１と支脚２との容易な取付けや取外しを短時間に可能とさせて実用上至便とさせることができる。
【００１４】
なお、前述実施例にあっては、支脚２とは別途に設ける枢着板５に筒部材７を固着させてボール１０及びバネ１１を支脚２に組込む構成を示したが、図７に示す如く、枢着板５を用いることなく支脚２の挿入部４内面に直接的に筒部材７を固着させてボール１０及びバネ１１を組込む構成でも良い。
【００１５】
また図８に示す如く、前記ボール１０及びバネ１１に換え先端に彎曲状の折曲げロック部１６を先端に有する板バネ部材１７を挿入部４内面に固設させ、遊嵌穴８を介し挿入部４外側に突出させるロック部１６外面を脚取付部５のロック部係合孔１４に突入係合させて、支脚２の位置固定を行うワンタッチ式位置決め装置１５とさせる構成でも良い。
【００１６】
さらに、実施例ではレストランなどで用いる食事用テーブルに位置決め装置１５を用いたが事務用テーブル（机）、作業用テーブル（作業台）など各種テーブルに用いても良い。
【００１７】
【考案の効果】
以上実施例から明らかなように本考案は、天板１と天板１を支持する支脚２とを備え、天板１の脚取付部５にワンタッチ式位置決め装置１５を介し支脚２を取外し自在に固定させたものであるから、天板１に対しワンタッチ操作で支脚２を容易に取付け或いは取外し可能とさせて、テーブル３の簡単な組付使用やコンパクトな分解収納を行ってテーブル３を有効に使用することができるものである。
【００１８】
また、天板１の脚取付部５或いは支脚２の一方にバネ１１で押圧するロック用ボール１０を設けると共に、ロック用ボール１０の係合するボール係合孔１４を他方に設けたものであるから、天板１の脚取付部５或いは支脚２にロック用ボール１０を組込むだけのコンパクトな構成で天板１と支脚２との容易な取付けや取外しを短時間に可能とさせて実用上至便とさせることができるものである。
【図面の簡単な説明】
【図１】テーブルの斜視斜視図。
【図２】支脚の取付説明図。
【図３】支脚の断面説明図。
【図４】支脚の取付説明図。
【図５】支脚の取外し説明図。
【図６】位置決め装置の変形説明図。
【図７】筒部材の他の設置説明図。
【図８】板バネ式の位置決め装置の説明図。
【符号の説明】
１　　　天板
２　　　支脚
５　　　脚取付部
１０　　ボール
１１　　バネ
１４　　係合孔
１５　　位置決め装置
【図１】
0003097435.tif 000003
【図２】
0003097435.tif 000004
【図３】
0003097435.tif 000005
【図４】
0003097435.tif 000006
【図５】
0003097435.tif 000007
【図６】
0003097435.tif 000008
【図７】
0003097435.tif 000009
【図８】
0003097435.tif 000010